(57)【特許請求の範囲】
【請求項１】
加工能力が不足している発注者と加工能力が余っている受注者の加工キャパシティの過不足を解消するための加工キャパシティ・オンライン・マッチングシステムであって、
前記発注者がアップロードする加工要件を受付けて登録する手段と、
受付けた加工要件を表示する手段と、
表示された加工要件に対応可能な受注候補がアップロードする見積りを受付けて登録する手段と、
見積りをアップロードした受注候補をリスト化して登録する手段と、
リスト化された受注候補を前記発注者に提示する手段と、
前記発注者の興味を受付けて登録する手段と、
前記発注者の興味の有無を前記見積りをアップロードした受注候補に通知する手段と、
互いに興味を持った発注者と受注候補の交渉依頼を受付けて登録する手段と、
交渉依頼を受けた発注者と受注候補間の条件交渉を仲介するチャット手段と、
を備えたマッチングプラットフォームを有することを特徴とする加工キャパシティ・オンライン・マッチングシステム。
【請求項２】
前記マッチングプラットフォームが、受注候補を評価する手段を更に備えたことを特徴とする請求項１に記載の加工キャパシティ・オンライン・マッチングシステム。
【請求項３】
前記マッチングプラットフォームが、発注者と受注者間の決済を支援する手段を更に備えたことを特徴とする請求項１又は２に記載の加工キャパシティ・オンライン・マッチングシステム。
【請求項４】
前記マッチングプラットフォームが、受注者と発注者間の配送を支援する手段を更に備えたことを特徴とする請求項１乃至３のいずれかに記載の加工キャパシティ・オンライン・マッチングシステム。
【請求項５】
前記マッチングプラットフォームが、契約成立時に仲介手数料を請求する手段を更に備えたことを特徴とする請求項１乃至４のいずれかに記載の加工キャパシティ・オンライン・マッチングシステム。
【請求項６】
前記加工能力が、板金加工、切削加工、除去加工、結合加工、熱処理加工の少なくともいずれか又は組合せの加工能力であることを特徴とする請求項１乃至５のいずれかに記載の加工キャパシティ・オンライン・マッチングシステム。
【請求項７】
前記加工キャパシティが、製造加工業の部品加工設備の生産能力又は製造能力であることを特徴とする請求項１乃至６のいずれかに記載の加工キャパシティ・オンライン・マッチングシステム。
【請求項８】
前記加工キャパシティの過不足が、一時的に発生したものであることを特徴とする請求項１乃至７のいずれかに記載の加工キャパシティ・オンライン・マッチングシステム。
【請求項９】
前記加工要件が、図面を含んで示されることを特徴とする請求項１乃至８のいずれかに記載の加工キャパシティ・オンライン・マッチングシステム。
【請求項１０】
前記発注者が、不足している加工能力を外注で補いたい発注者であることを特徴とする請求項１乃至９のいずれかに記載の加工キャパシティ・オンライン・マッチングシステム。
【請求項１１】
前記受注者が、十分な受注活動ができない受注者であることを特徴とする請求項１乃至１０のいずれかに記載の加工キャパシティ・オンライン・マッチングシステム。
【発明の詳細な説明】
【技術分野】
【０００１】
本発明は、加工キャパシティ・オンライン・マッチングに係り、特に、加工能力が不足している発注者と加工能力が余っている受注者の加工キャパシティの過不足を少ない人手と労力で直接解消するための加工キャパシティ・オンライン・マッチングシステムに関する。
【背景技術】
【０００２】
収益性及び経営継承などによる問題、それに伴う事業の統廃合や廃業の増加によって、加工能力が不足している発注者と加工能力が余っている受注者の加工キャパシティの過不足が発生し、有効活用できていない。又、新規外注先検索や受発注業務、新規営業に人手が必要で負担がかかっている。
【０００３】
即ち、売上拡大に関して、発注者側では、新規設備投資は抑制し、キャパシティ不足を外注で充足したいという要望があるが、従来は、人手をかけて外注先を検索したり、キャパシティを空けたままとなっている。一方、受注者側では、売り上げを増加させるための新たな外注案件を開拓する営業活動として、業界紙等への広告掲載や展示会等への参加を行っているが、それ以外の売上拡大手段がなく、費用対効果の高い営業活動ができていないという問題があり、発注者側、受注者側のいずれにとっても売上拡大のハードルとなっていた。
【０００４】
又、人手に関しては、発注者側では、新たな外注先を探したい場合、展示会などの訪問やＷＥＢなどの検索を行っているが、外注業者の選定に手間がかかり、本業に割きたい人員が割かれているという問題があり、受注者側では、特定顧客一本足から脱却したいが、人手不足で営業にそこまで人手を割けず、限られた人員による特定地域での営業活動を行わざるを得ないという問題がある。
【０００５】
更に、受発注に関しては、発注者側は、人手をかけて既存の取引先への電話／メールを行ったり、新規取引先の検索を行っており、既存の取引先への見積や発注連絡も効率化して省力化したいという要望がある一方、受注者側では、的外れな見積依頼に関しては、依頼はある程度受け話は聞くが、案件には結びつかず、的外れな見積依頼への対応に苦慮しており、受発注の非効率という問題がある。
【０００６】
一方、本発明のように、加工能力が不足している発注者と加工能力が余っている受注者の加工キャパシティの過不足を解消するための技術ではないが、板金加工業者をフランチャイズ化し、生産本部で集中受注して板金加工業者に製造を指示することにより、板金加工業者の受注業務軽減、生産性の向上、キャパシティ（生産能力）不足の解消などを実現する板金製品の取引システムが特許文献１に記載されている。
【０００７】
又、アウトソーシングセンタがデータ変換、材料の調達、及び２次下請けの紹介を発注先に対して行うことにより、製造の最適化を図るようにした、板金業における仲介システムが特許文献２に記載されている。
【０００８】
又、発注元の生産計画を考慮した上で外注先の指定納期と負荷を平準化するデータ処理技術が特許文献３に提案されている。
【０００９】
又、商品を受注したらその商品を納期内に納めることができる最適な製造先を迅速に自動決定することができる商品製造先自動決定システムが特許文献４に記載されている。
【００１０】
又、図面作製システム等を用いて部品図等を作製した場合に、その後に得ようとする部品等の資材を効率的に調達するための資材調達支援システムが特許文献５に記載されている。
【００１１】
又、部品を納入するサプライヤの評価基準を定めると共に、サプライヤによる部品の製造工程を評価項目による評価するようにした、部品を製造するサプライヤの選定技術が特許文献６に記載されている。
【００１２】
又、ベンダ情報の分析と、その分析結果に基づくベンダの選定とを行い、購入品の品質向上、廉価購買、納期確保を図り、ベンダのセールスポイントをＰＲ可能とするベンダ情報管理システムが特許文献７に記載されている。
【先行技術文献】
【特許文献】
【００１３】
【特許文献１】特開２００３−３０４９９号公報
【特許文献２】特開２００２−３４２６０６号公報
【特許文献３】特開２０１４−１５３７４０号公報
【特許文献４】特開２００１−２０９７１１号公報
【特許文献５】特開２００３−１９６５１９号公報
【特許文献６】特開２０１３−１４０５６７号公報
【特許文献７】特開２００２−３４２６２６号公報
【発明の概要】
【発明が解決しようとする課題】
【００１４】
しかしながらいずれも、加工能力が不足している発注者と加工能力が余っている受注者の加工キャパシティの過不足を直接解消することはできなかった。
【００１５】
本発明は、前記従来の問題点を解消するべくなされたもので、加工能力が不足している発注者と加工能力が余っている受注者の加工キャパシティの過不足を少ない人手と労力で直接解消することを課題とする。
【課題を解決するための手段】
【００１６】
本発明は、前記従来の問題点を解決するべくなされたもので、加工能力が不足している発注者と加工能力が余っている受注者の加工キャパシティの過不足を解消するための加工キャパシティ・オンライン・マッチングシステムであって、前記発注者がアップロードする加工要件を受付けて登録する手段と、受付けた加工要件を表示する手段と、表示された加工要件に対応可能な受注候補がアップロードする見積りを受付けて登録する手段と、見積りをアップロードした受注候補をリスト化して登録する手段と、リスト化された受注候補を前記発注者に提示する手段と、前記発注者の興味を受付けて登録する手段と、前記発注者の興味の有無を前記見積りをアップロードした受注候補に通知する手段と、互いに興味を持った発注者と受注候補の交渉依頼を受付けて登録する手段と、交渉依頼を受けた発注者と受注候補間の条件交渉を仲介するチャット手段と、を備えたマッチングプラットフォームを有することを特徴とする加工キャパシティ・オンライン・マッチングシステムにより前記課題を解決するものである。
【００１７】
ここで、前記マッチングプラットフォームが、受注候補を評価する手段を更に備えることができる。
【００１８】
又、前記マッチングプラットフォームが、発注者と受注者間の決済を支援する手段を更に備えることができる。
【００１９】
又、前記マッチングプラットフォームが、受注者と発注者間の配送を支援する手段を更に備えることができる。
【００２０】
又、前記マッチングプラットフォームが、契約成立時に仲介手数料を請求する手段を更に備えることができる。
【００２１】
又、前記加工能力を、板金加工、切削加工、除去加工、結合加工、熱処理加工の少なくともいずれか又は組合せの加工能力とすることができる。
【００２２】
又、前記加工キャパシティを、製造加工業の部品加工設備の生産能力又は製造能力とすることができる。
【００２３】
又、前記加工キャパシティの過不足を、一時的に発生したものとすることができる。
【００２４】
又、前記加工要件を、図面を含んで示すことができる。
【００２５】
又、前記発注者を、不足している加工能力を外注で補いたい発注者とすることができる。
【００２６】
又、前記受注者を、十分な受注活動ができない受注者とすることができる。
【発明の効果】
【００２７】
本発明によれば、加工能力が不足している発注者と加工能力が余っている受注者の加工キャパシティの過不足を少ない人手と労力で直接解消することが可能となる。
【図面の簡単な説明】
【００２８】
【図１】本発明の概要を示す模式図
【図２】本発明の第１実施形態の構成を示すブロック図
【図３】第１実施形態の処理手順を示す流れ図
【図４】同じく発注側と受注側のサービス利用の流れを示す流れ図
【図５】前記処理手順における基本情報登録画面の例を示す図
【図６】同じく案件情報登録画面の例を示す図
【図７】本発明の第２実施形態の構成を示すブロック図
【図８】本発明の第３実施形態の構成を示すブロック図
【発明を実施するための形態】
【００２９】
以下、図面を参照して、本発明の実施の形態について詳細に説明する。なお、本発明は以下の実施形態に記載した内容により限定されるものではない。また、以下に記載した実施形態における構成要件には、当業者が容易に想定できるもの、実質的に同一のもの、いわゆる均等の範囲のものが含まれる。更に、以下に記載した実施形態で開示した構成要素は適宜組み合わせてもよいし、適宜選択して用いてもよい。
【００３０】
本発明の概要を図１に示す。
【００３１】
発注側企業（発注者）１００は、例えば部品加工設備能力が慢性的／もしくは繁忙期に不足し受注機会を逸しており、外注先検索〜受発注業務を効率化しつつ、部品調達コストを減らしたい会社である。
【００３２】
受注側企業（受注者）２００は、例えば部品加工設備能力が恒常的／もしくは閑散期に空いており、新規顧客を開拓しつつ、受発注業務を効率化したい会社である（受注候補とも称する）。
【００３３】
仲介者３００は、例えば商事会社あるいは銀行等の金融機関であり、例えばクラウドサーバーに発注者１００と受注者２００とを繋ぐ加工能力マッチングプラットフォーム（以下単にマッチングプラットフォームとも称する）３１０を構成している。
【００３４】
前記マッチングプラットフォーム３１０は、発注者１００がアップロードした、例えば２次元（２Ｄ）図面や３次元（３Ｄ）図面等を用いて表される加工要件と、これに対して対応可能な受注候補２００が提案した見積りを受け付けてマッチングする基本機能１を備えている。
【００３５】
又、マッチングプラットフォーム３１０は、見積りを提案してきた受注候補２００のリストを作成し、発注者１００に提示して、興味の有無を表示させると共に、この発注側の興味の有無を受注候補２００に伝える基本機能２を有する。
【００３６】
前記マッチングプラットフォーム３１０は、更に、興味を持った発注者１００と受注候補２００が個別条件をチャットで交渉する場を提供する基本機能３を有する。
【００３７】
本発明の第１実施形態の構成を図２に示す。発注者１００には、例えばキーボード１０４とディスプレイ１０６を備えたパソコン（ＰＣ）１０２があり、インターネットＩに接続されている。
【００３８】
各受注候補２００、２１０・・・にもキーボード２０４、２１４・・・ディスプレイ２０６、２１６・・・等が接続されたパソコン２０２、２１２・・・があり、やはりインターネットＩに接続されている。
【００３９】
仲介者３００のクラウドサーバーもインターネットＩに接続されており、その中に構成されたマッチングプラットフォーム３１０には、キーボード３２２、ディスプレイ３２４などが接続されたインターフェイス３２０と、該インターフェイス３２０に接続された発注者１００、受注候補２００、２１０・・・等の参加者受付手段３３０と、参加者登録手段３３２と、加工要件受付手段３４０と、加工要件登録手段３４２と、加工要件表示手段３４４と、見積り受付手段３５０と、見積り登録手段３５２と、受注候補リスト作成手段３６０と、受注候補リスト登録手段３６２と、受注候補リスト提示手段３６４と、発注者興味受付手段３７０と、発注者興味登録手段３７２と、発注者興味通知手段３７４と、交渉依頼受付手段３８０と、受諾交渉登録手段３８２と、チャット手段３８４と、契約成立受付手段３９０と、成立契約登録手段３９２と、仲介手数料請求手段３９４とが備えられている。
【００４０】
以下、図３を参照しつつ作用を説明する。
【００４１】
先ずステップ１０００で、前記参加者受付手段３３０は、インターネットＩを介して発注者１００、受注候補２００、２１０・・・の参加者を受付ける。この参加者の受付に際しては、発注者１００と受注候補２００、２１０・・・の両方を有料としたり、いずれか一方を有料としたり、両方とも無料としたりすることができる。参加者受付手段３３０で受付けた参加者の基本情報は、参加者登録手段３３２に登録される。
【００４２】
次いでステップ１１００で、加工要件受付手段３４０が発注者１００の案件情報（加工要件）を受付けて、加工要件登録手段３４２に登録すると共に、加工要件表示手段３４４に表示する。
【００４３】
次いでステップ１２００に進み、受注候補２００・・・が登録した基本情報が発注者１００の検索条件に合致した場合は、その希望案件を受注候補２００・・・に通知し、受注候補２００・・・からの見積りを見積り受付手段３５０で受付けて見積り登録手段３５２に登録する。
【００４４】
次いでステップ１３００に進み、受注候補リストを受注候補リスト作成手段３６０で作成して、受注候補リスト登録手段３６２に登録し、受注候補リスト提示手段３６４で発注者１００に提示する。
【００４５】
これに対して発注者１００はステップ１４００で受注候補リストに対して興味の有無を発信し、発注者興味受付手段３７０がこれを受付けて発注者興味登録手段３７２に登録し、発注者興味通知手段３７４で、発注者興味を受注候補に通知する。
【００４６】
ステップ１５００で受注依頼者が交渉を依頼し、ステップ１６００で発注者１００が交渉を承諾したことを交渉依頼受付手段３８０が受付けると、受諾交渉登録手段３８２に登録し、ステップ１７００で、チャット手段３８４を用いた条件交渉の場を提供する。
【００４７】
契約が成立してステップ１８００の判定結果が正となると、ステップ１９００で外注先決定／案件受注となり、契約成立受付手段３９０が受付けて成立契約登録手段３９２に登録する。
【００４８】
これにより、仲介者３００は、ステップ２０００で、仲介手数料請求手段３９４により、例えば受注候補リストの作成や、発注者興味提示、チャット手段提供等に見合った仲介手数料や成功報酬を、発注者１００、及び／又は受注者２００に請求することができる。なお、仲介手数料を無償とすることもできる。
【００４９】
一方、ステップ１８００で契約が成立しなかった場合は、ステップ１８１０で次の受注候補者との交渉に移る。
【００５０】
発注側と受注側のサービス利用の流れを図４に示す。
【００５１】
図４において、発注側は、ステップ１１００で案件情報（加工要件）を登録し、ステップ１４００で受注企業リストに「いいね！」を表示し、ステップ１６００で交渉を受諾する。受注側は、ステップ１０００で基本情報を登録し、ステップ１０１０で得意な加工案件を紹介し、受注したい場合、ステップ１５００で交渉を依頼する。
【００５２】
交渉が受諾された場合はステップ１７００でチャットによる個別の条件交渉を行い、ステップ１９００で外注先決定／案件受注となる。
【００５３】
ステップ１０００における基本情報登録画面の一例を図５に、ステップ１１００における案件情報登録画面の一例を図６に示す。
【００５４】
本実施形態によれば、発注側は発注作業の効率化及び、部品調達コスト減を図ることができ、受注側は、空き設備の有効活用、相見積の削減、売上の安定化を図ることができる。
【００５５】
本発明の第２実施形態を図７に示す。
【００５６】
本実施形態は、図１に示した基本機能１と２に対応する案件マッチング機能４００が、受注候補案件通知機能４１０と外注候補企業の選択機能４２０に加えて、企業評価機能４３０を備えており、信頼性の高い外注先を選択することが可能になっている。
【００５７】
又、基本機能３に対応する発注・取引支援機能５００は、基本機能３と同じくチャット機能５１０を備えている。
【００５８】
本実施形態の加工能力マッチングプラットフォーム３１０は、更に、債権保証機能７１０を含む決済支援機能７００と、簡単配送機能８１０を含む配送支援機能８００を備えており、確実な決済及び資材や加工部品の配送の効率化も可能になっている。
【００５９】
本発明の第３実施形態を図８に示す。
【００６０】
本実施形態の加工能力マッチングプラットフォーム３１０は、初期サービスとして、第２実施形態と同様の案件マッチング機能４００、発注・取引支援機能５００に加えて、付加機能として、発注書、請求書等の送付・管理機能６１０を含む帳票書類電子化機能６００及び、第２実施形態と同様の決済支援機能７００、配送支援機能８００を含んでいる。更に、システム初期機能として、仕様・補足情報の案件一元管理機能９００、見積・受注履歴の検索〜簡単再発注機能９１０、データの安全管理セキュリティ機能９２０を含み、システム付加機能として、ＡＩ活用によるリコメンド機能９３０、ＡＩ活用による加工種別ごとの需要予測機能９４０を含んでいる。
【００６１】
従って、帳票管理、再発注が容易となり、セキュリティが向上し、ＡＩ活用によるリコメンドや需要予測が可能になっている。
【００６２】
なお、オンラインマッチングの対象は板金や切削に限定されず、除去加工、成型加工、結合加工、熱処理加工、その他の加工に適用することが可能である。サービス対象も加工マッチングだけでなく、求人ホームページ作成、経営可視化、ＡＩ改善支援などの経営支援機能、ＣＡＤ部品カタログ機能、即時見積り機構など、設計・発注支援機能に拡大することも可能である。更には、製造業経営の一連のプロセス改善にまで拡大することが可能である。
【符号の説明】
【００６３】
１００…発注者
２００、２１０…受注者（受注候補）
３００…仲介者（クラウドサーバー）
３１０…加工能力マッチングプラットフォーム
３３０…参加者受付手段
３３２…参加者登録手段
３４０…加工要件受付手段
３４２…加工要件登録手段
３４４…加工要件表示手段
３５０…見積り受付手段
３５２…見積り登録手段
３６０…受注候補リスト作成手段
３６２…受注候補リスト登録手段
３６４…受注候補リスト提示手段
３７０…発注者興味受付手段
３７２…発注者興味登録手段
３７４…発注者興味通知手段
３８０…交渉依頼受付手段
３８２…受諾交渉登録手段
３８４…チャット手段
３９０…契約成立受付手段
３９２…成立契約登録手段
３９４…仲介手数料請求手段
【要約】
【課題】加工能力が不足している発注者と加工能力が余っている受注者の加工キャパシティの過不足を少ない人手と労力で解消する。
【解決手段】発注者１００がアップロードする加工要件を受付けて登録する手段３４０、３４２と、受付けた加工要件を表示する手段３４４と、表示された加工要件に対応可能な受注候補がアップロードする見積りを受付けて登録する手段３５０、３５２と、見積りをアップロードした受注候補をリスト化して登録する手段３６０、３６２と、リスト化された受注候補を発注者に提示する手段３６４と、発注者の興味を受付けて登録する手段３７０、３７２と、発注者の興味の有無を受注候補に通知する手段３７４と、互いに興味を持った発注者と受注候補の交渉依頼を受付けて登録する手段３８０、３８２と、交渉依頼を受けた発注者と受注候補間の条件交渉を仲介するチャット手段３８４と、を備えたマッチングプラットフォーム３１０を有する加工キャパシティ・オンライン・マッチングシステムを提供する。
【選択図】図２【図１】
0006945760.tif 000002
【図２】
0006945760.tif 000003
【図３】
0006945760.tif 000004
【図４】
0006945760.tif 000005
【図５】
0006945760.tif 000006
【図６】
0006945760.tif 000007
【図７】
0006945760.tif 000008
【図８】
0006945760.tif 000009